(57)【要約】【課題】傾斜軸を利用して施療子にマッサージ動作を行わせるものにおいて揉捏マッサージ動作を得る。【解決手段】回転駆動される駆動軸２０と、駆動軸に装着された傾斜軸２２と、上記傾斜軸２２の外周面に遊転自在に連結されている揺動アーム５１と、施療子５０を備える上記揺動アームの上記傾斜軸の回転に伴う動きを規制する連結ロッド４５とを備える。駆動軸の回転による施療子の動きを２０ｍｍ角四方の中で円状の軌跡を描く動きとなる傾斜角に上記傾斜軸を設定している。上記軌跡を描く動作により、揉捏マッサージと同等のマッサージを得ることができる。【選択図】図１
2008029431.tif 000002
【特許請求の範囲】
【請求項１】
回転駆動される駆動軸と、駆動軸に対して傾いた軸を備えて駆動軸に装着された傾斜軸と、上記傾斜軸の外周面に遊転自在に連結されている揺動アームと、施療子を備える上記揺動アームの上記傾斜軸の回転に伴う動きを規制する連結ロッドとを備えるとともに、駆動軸の回転による施療子の動きを２０ｍｍ角四方の中で円状の軌跡を描く動きとなる傾斜角に上記傾斜軸を設定していることを特徴とするマッサージ機。
【請求項２】
駆動軸に設けられた偏心軸に傾斜軸が配設されて偏心軸の偏心量と傾斜軸の傾斜角と揺動アームの長さとで施療子の動作軌跡を２０ｍｍ角四方内の円状の軌跡としていることを特徴とするマッサージ機。
【請求項３】
偏心軸の偏心量を可変としていることを特徴とする請求項２記載のマッサージ機。
【請求項４】
傾斜軸の傾斜角を可変としていることを特徴とする請求項１〜３のいずれか１項に記載のマッサージ機。
【請求項５】
偏心軸の偏心量の変化に連動して傾斜軸の傾斜角が変化するものとしていることを特徴とする請求項２記載のマッサージ機。
【発明の詳細な説明】
【技術分野】
【０００１】
本発明は、施療子にもみマッサージを与えることができるマッサージ機、殊に回転駆動される傾斜軸や偏心軸を利用して施療子を揺らせることでもみマッサージを得るようにしたマッサージ機に関するものである。
【背景技術】
【０００２】
回転駆動される傾斜軸や偏心した軸を利用して施療子にもみマッサージを得られることになる軌跡を描かせるようにしたマッサージ機が知られている。
【０００３】
上記もみマッサージは、ほぼ４０ｍｍ角四方内に収まる楕円状の軌跡を施療子が描くものであり、この場合、施療子がツボ（圧痛点）に当接した場合は心地良く感じられるが、ツボから外れた場合、特に骨などに当接すると不快な痛みを感じる。
【０００４】
一方、マッサージ師の施療で多用される手技に揉捏と称されるものがある。これは図１５に示すように、拇指や掌を支持点（支持面）として人体を加圧しながら手首近傍部を円上や線状に動かすマッサージである。この揉捏マッサージであれば、施療子は人体との接触点を中心にほぼ「すりもみ運動」を行うことになるために、骨にあたってしまうようなことはなく、従って不快な痛みを感ずることはない。
【０００５】
しかし、従来から提供されている上記もみマッサージ機能を備えたマッサージ機では、上記揉捏マッサージ動作を得ることができない。
【特許文献１】特開２００４−０１６５１４公報
【発明の開示】
【発明が解決しようとする課題】
【０００６】
本発明は上記の従来の問題点に鑑みて発明したものであって、傾斜軸や偏心軸を利用して施療子にマッサージ動作を行わせるものにおいて上記揉捏マッサージを得ることができるマッサージ機を提供することを課題とするものであり、また施療子の動きは上記傾斜軸の傾斜や偏心軸の偏心量によってほぼ決定されてしまうものであるにもかかわらず、揉捏マッサージと同じ感覚のマッサージとなる２０ｍｍ角四方の中で円状の軌跡を描く動きに加えて、他のもみマッサージ動作の動きも得ることができるマッサージ機を提供することを他の課題とするものである。
【課題を解決するための手段】
【０００７】
上記課題を解決するために本発明に係るマッサージ機は、回転駆動される駆動軸と、駆動軸に対して傾いた軸を備えて駆動軸に装着された傾斜軸と、上記傾斜軸の外周面に遊転自在に連結されている揺動アームと、施療子を備える上記揺動アームの上記傾斜軸の回転に伴う動きを規制する連結ロッドとを備えるとともに、駆動軸の回転による施療子の動きを２０ｍｍ角四方の中で円状の軌跡を描く動きとなる傾斜角に上記傾斜軸を設定していることに特徴を有している。上記軌跡を描く動きにより、揉捏マッサージと同等の感覚のマッサージを行うことができる。
【０００８】
この時、駆動軸に設けられた偏心軸に傾斜軸が配設されて偏心軸の偏心量と傾斜軸の傾斜角と揺動アームの長さとで施療子の動作軌跡を２０ｍｍ角四方内の円状の軌跡としていることが好ましい。
【０００９】
そして、偏心軸の偏心量を可変としたり、傾斜軸の傾斜角を可変とすることで、揉捏マッサージ以外のもみマッサージ動作も得ることができ、この時、偏心軸の偏心量の変化に連動して傾斜軸の傾斜角が変化するものとしておくことが好ましい。
【発明の効果】
【００１０】
本発明は、傾斜軸や偏心軸を利用して施療子にマッサージ動作を行わせるものにおいて、揉捏マッサージ動作を得ることができる。
【発明を実施するための最良の形態】
【００１１】
以下、本発明を添付図面に示す実施形態に基いて説明すると、図１〜図５に示すマッサージ機構は椅子の背もたれ内に上下に自走自在に配されるもので、左右に位置する縦枠１１，１１と、縦枠１１，１１の上端間を連結するガイド軸１３と、左右中程に配された一対の取付板１４，１４等で構成されたフレーム１に、もみ駆動モータユニット２と上下駆動モータユニット３とたたき駆動モータユニット４、左右一対の施療子ブロック５，５等を装着したものとして構成されている。図中図中７３，７５は動作位置検出用のスリット板であり、７４，７６は同じく動作位置検出用のフォトセンサである。
【００１２】
縦枠１１，１１の下端間に架設されている走行軸３０は、その両端にピニオン３１が固定されているとともにガイドころ３２，３３が遊転自在に装着されており、また上記ガイド軸１３も両端にガイドころ３２，３２を備えており、これらガイドころ３２は上記背もたれ内の左右に配されたガイドレール内を転動し、更に上記ピニオン３１がガイドレールに付設されたラックと噛合する。このために上記上下駆動モータユニット３がピニオン３１を備えた走行軸３０を回転駆動する時、このマッサージ機構１はガイドレールに沿って背もたれ内を上下に自走する。
【００１３】
上記もみ駆動モータユニット２の回転は、取付板１４，１４の下部に配された駆動軸２０に伝達される。この駆動軸２０は、その両端に偏心軸部２１，２１を備えたものであるとともに、各偏心軸部２１の外周に外周面の中心軸が駆動軸２０の軸線に対して傾いている傾斜軸２２，２２を配したもので、駆動軸２０と共に回転する２つの傾斜軸２２，２２には夫々施療子ブロック５，５が連結されている。
【００１４】
この施療子ブロック５は、一端が傾斜軸２２の外周に軸受５４を介して遊転自在に連結される揺動アーム５１と、揺動アーム５１の他端に中央部が軸支された支持アーム５２と、側面形状がく字形である支持アーム５２の上下両端部に夫々軸支されるローラ状の施療子５０，５０とからなるもので、支持アーム５２は上方側の施療子５０が背もたれの前面側に突出する方向にばね付勢された状態で揺動アーム５１に軸５３で上下に回動自在に取り付けられている。
【００１５】
そして取付板１４，１４の上部には前記たたき駆動モータユニット４によってベルト４３を介して駆動されるたたき駆動軸４０が架設されている。該たたき駆動軸４０はその両端に偏心軸部を有するクランク軸として形成されたものであり、各偏心軸部と上記の両施療子ブロック５の揺動アーム５１との間が夫々連結ロッド４５によって連結されている。なお、連結ロッド４５と揺動アーム５１とは三次元的な動きが自在な継手で連結されており、連結ロッド４５とたたき駆動軸４０との間もたたき駆動軸４０の軸回りの回転が自在で且つたたき駆動軸４０の軸方向に連結ロッド４５が揺動することが自在となるように連結されている。
【００１６】
そして、このマッサージ機構１は、前述のように上下駆動モータユニット３の駆動によって背もたれ内を上下に自走して、施療子５０の位置を上下に変化させる。この時、上下２つの施療子５０，５０を備える支持アーム５２は揺動アーム５１に対して上下に回動自在に連結されているとともにばね付勢されていることから、上下２つの施療子５０，５０が常に背もたれに持たれた人体背面に接している状態を得ることができる。
【００１７】
また、もみ駆動モータユニット２を回転させる時、駆動軸２０の両端の偏心軸部２１，２１に夫々配された傾斜軸２２，２２は、その軸の傾きが相互に逆になっていることから、各傾斜軸２２，２２の外周に揺動アーム５１が装着されるとともに連結ロッド４５，４５によって揺動アーム５１の動きが規制されている左右の施療子ブロック５，５は、互いに接近したり離れたりする動きを上下の施療子５０，５０に行わせるものであり、この時、傾斜軸２２が装着されている偏心軸部２１が偏心していることもあって、施療子５０は前後にも動く。
【００１８】
ここにおいて、上記偏心成分と傾斜成分とのために、駆動軸２０を回転させた時の施療子５０の動きは、前後左右上下方向の三次元的な円状の軌跡を描くのであるが、ここでは駆動軸２０の回転方向に応じて、傾斜成分を変更できるようにしている。
【００１９】
すなわち、図６及び図７に示すように、前記傾斜軸２２を偏心軸２１と一体に回転する傾斜軸２２ａと、この傾斜軸２２ａの外周に配した傾斜軸２２ｂとで構成し、傾斜軸２２ｂの外周にベアリング２４を介して揺動アーム５０を連結している。また、傾斜軸２２ａの外周にストッパ２３を突設して、このストッパ２３が傾斜軸２２ｂ内周に１８０°だけ形成された切り欠き内を移動することで、傾斜軸２２ａに対して傾斜軸２２ｂが１８０°だけ回転自在となるようにしている。
【００２０】
今、駆動軸２０が一方向に回転するとともに傾斜軸２２ａのストッパ２３が傾斜軸２２ｂの切り欠きの一方の端に当接して傾斜軸２２ｂが駆動軸２０と共に回転している時、図８に示すように、駆動軸２０の軸線に対して角度イだけ傾いている傾斜軸２２ａに対して角度ロだけ更に傾いている傾斜軸２２ｂは、駆動軸２０に対してハ（ハ＝イ−ロ）の傾きを有している。
【００２１】
しかし、駆動軸２０の回転方向を逆にすれば、傾斜軸２２ａのストッパ２３は傾斜軸２２ｂの上記切り欠きの他方の端に当接するために、傾斜軸２２ａに対して傾斜軸２２ｂの位相が１８０°ずれることから、傾斜軸２２ｂの駆動軸２０に対する傾きはイ＋ロであるハ’の角度となり、異なる傾斜成分を持つものとなる。
【００２２】
そして、ここでは偏心軸２１の偏心量や揺動アーム５１の長さ並びに傾斜成分が上記ハ時に、施療子５０が描く円状軌跡が２０ｍｍ角四方の中に収まるようにしており、より大きく傾斜したハ’の角度の時には、左右方向の幅が２０ｍｍよりも大きくなる幅広の楕円軌跡を施療子５０が描くようにしてある。
【００２３】
ここにおいて、施療子５０に２０ｍｍ角四方内で円状の軌跡を描く動きを行わせる時、上記揉捏マッサージと同等の感覚が得られるマッサージ動作となる。すなわち、拇指などと同程度の大きさの施療子を２０ｍｍ角四方の中で円状の軌跡を描く動きを行わせた時、施療子５０自体はすりもみ運動を行っているわけではないが、上記の範囲内で円状の軌跡を描く動きは、感覚的に上記揉捏マッサージと同じマッサージとなるものである。本発明はこのような知見に基づき、偏心量及び傾斜角度及び揺動アーム５１の長さの設定により、上記施療子５０の動作軌跡を得られるようにしたものである。
【００２４】
また、図１４に示すように、人体の肩甲骨Ｋ付近の肩側の筋肉イは斜めに筋束が走っており、背骨側の筋肉は縦方向に筋束が走っているが、円（や楕円）を描く動きはこれら筋束と直交する方向の動き成分を含んでいるために、筋肉を確実にほぐすことができるものであり、しかも筋束の幅は５〜１０ｍｍであることから、２０ｍｍ角四方もしくはこれよりも狭い範囲内で内で施療子を動かす分には筋束を揺らすことができると同時に施療子が骨に当たることはない。なお、これより大きい範囲、たとえば４０ｍｍ四方内で施療子を動かす動作は、肩の筋肉をもみほぐすといった点では有効であるが、上記の位置で行わせると、施療子が骨に当たる虞が高くなる上に、被施療者にしてみれば揉捏マッサージとは異なった感覚のものとなってしまうものである。
【００２５】
一方、２０ｍｍ角四方の中で円状の軌跡を描く動作を偏心量及び傾斜角度の設定で実現した時、本来ならば肩の筋肉をもみほぐすことなどに有効な通常のもみマッサージ動作を得ることができないものとなってしまうことから、ここでは上述のように傾斜角度を可変とすることで、もみマッサージも得ることができるようにしているわけである。
【００２６】
図９及び図１０に他例を示す。これは偏心量がｅ１である偏心軸２１の外周に傾斜軸２２を回転自在に配置するとともに、偏心軸２１から突設したピン２５が１８０°内だけ回転することを許す切り欠きを傾斜軸２１に設け、更に傾斜軸２２を偏心量ｅ２の偏心成分を有するものとしてある。
【００２７】
そして駆動軸２０を一方向に回転させる時には、駆動軸２０に対してｅ１−ｅ２の偏心成分ｅを傾斜軸２２が有するものの、駆動軸２０を逆方向に回転させる時には駆動軸２０に対してｅ１＋ｅ２の偏心成分ｅ’を傾斜軸２２が有することになるようにしているために、前者の偏心成分ｅと傾斜軸２２の傾斜成分及び揺動アーム５１の長さを施療子５０が２０ｍｍ角四方の中に収まる円状軌跡を描くように設定している時、駆動軸２０を逆方向に回転させて偏心成分ｅより大きな値の偏心成分ｅ’となると、施療子５０は縦長の楕円軌跡を描くことになる。
【００２８】
図１１及び図１２に更に他例を示す。これは駆動軸２０の回転方向の変更によって傾斜成分の切り換えと偏心量の切り換えとが同時になされるようにしたもので、偏心量ｅ２は傾斜軸２２ｂに持たせている。この場合、傾斜角が小さく且つ偏心量が小さくなる時に、２０ｍｍ角四方の中に収まる円状軌跡を施療子５０が描くようにしている時、駆動軸２０の回転方向の変更で傾斜角が大きく且つ偏心量が大きくなるようにすれば、施療子５０がより大きい直径の円状軌跡を描くものとなる。
【００２９】
なお、傾斜成分を大きくする時に偏心量を小さくすることもできる上に、傾斜成分や偏心量をどのような値にするかも自在に設定することができることから、施療子５０に描かせる軌跡は各種のものを得ることができる。ちなみに、傾斜成分をφ２０ｍｍの円状軌跡を得られる値と、これよりも小さい値とに切り換えられるようにするとともに、後者の時に偏心量が大きくなるようにすれば、施療子５０が描く軌跡を図１３に示すように変化させることができる。
【図面の簡単な説明】
【００３０】
【図１】本発明の実施の形態の一例の斜視図である。
【図２】同上の斜視図である。
【図３】同上の一部を省略した平面図である。
【図４】同上の一部を省略した側面図である。
【図５】同上の施療子ブロックの斜視図である。
【図６】(a)(b)は同上の駆動軸及び傾斜軸部分の正面図と斜視図である。
【図７】(a)(b)は同上の駆動軸の逆回転時の駆動軸及び傾斜軸部分の正面図と斜視図である。
【図８】(a)(b)は同上の傾斜角切り換えについての説明図である。
【図９】(a)(b)は他の実施の形態の一例における駆動軸及び傾斜軸部分の正面図である。
【図１０】同上の駆動軸及び傾斜軸部分の斜視図である。
【図１１】(a)(b)は更に他の実施の形態の一例における駆動軸及び傾斜軸部分の正面図である。
【図１２】同上の駆動軸及び傾斜軸部分の分解斜視図である。
【図１３】別の例における軌跡の変更の説明図である。
【図１４】揉捏マッサージの説明図である。
【図１５】マッサージ師による揉捏マッサージの説明図である。
【符号の説明】
【００３１】
３  上下駆動モータユニット
２０  駆動軸
２２  傾斜軸
５０  施療子
５１  揺動アーム
【図１】
2008029431.tif 000003
【図２】
2008029431.tif 000004
【図３】
2008029431.tif 000005
【図４】
2008029431.tif 000006
【図５】
2008029431.tif 000007
【図６】
2008029431.tif 000008
【図７】
2008029431.tif 000009
【図８】
2008029431.tif 000010
【図９】
2008029431.tif 000011
【図１０】
2008029431.tif 000012
【図１１】
2008029431.tif 000013
【図１２】
2008029431.tif 000014
【図１３】
2008029431.tif 000015
【図１４】
2008029431.tif 000016
【図１５】
2008029431.tif 000017